【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
ＭＰＥＧ−４ビデオ信号を復号する方法であって、
プロセッサにより、８画素×８画素のアレイを含むブロックＸに予測を適用することを示すフラグを受信するステップと、
前記プロセッサにより、前記予測の方向を決定するステップであって、前記方向は、前記ブロックＸからのデータを用いない前記予測に用いる、ブロックＸに隣接するブロックを特定し、前記方向は、前記ブロックＸに対して垂直方向または水平方向であるステップと、
前記プロセッサにより、前記方向によって特定された隣接するブロックのＤＣ係数を用いて前記ブロックＸのＤＣ係数ＤＣＸを生成するステップと、
を含む、方法。
【請求項２】
プロセッサを含む復号器によって実行されると、前記復号器にＭＰＥＧ−４ビデオ信号を復号する動作を行わせる命令を保存する非一時的なコンピュータ可読記憶媒体であって、前記動作は、
予測を８画素×８画素のアレイを含むブロックＸに適用することを示すフラグを受信するステップと、
前記予測の方向を決定するステップであって、前記方向は、前記ブロックＸからのデータを用いない前記予測に用いる、ブロックＸに隣接するブロックを特定し、前記方向は、前記ブロックＸに対して垂直方向または水平方向であるステップと、
前記方向によって特定された隣接するブロックのＤＣ係数を用いて前記ブロックＸのＤＣ係数ＤＣＸを生成するステップと、
を含む、非一時的なコンピュータ可読記憶媒体。
【請求項３】
請求項２に記載の非一時的なコンピュータ可読記憶媒体において、
前記方向を決定するステップは、
前記ブロックＸの水平方向左側の隣接するブロックＡについてのＤＣ係数ＤＣＡと、前記隣接するブロックＡの垂直方向上側の隣接するブロックＢについてのＤＣ係数ＤＣＢとの間の第１勾配を決定するステップと、
ＤＣＢと、前記ブロックＸの垂直方向上側の隣接するブロックＣについてのＤＣ係数ＤＣＣとの間の第２勾配を決定するステップと、を含み、
前記ＤＣ係数ＤＣＸを生成するステップは、
前記第１勾配が前記第２勾配より小さい場合には、前記ブロックＸの差分ＤＣ係数を隣接するブロックＣのＤＣ係数に加算することによって前記ブロックＸのＤＣ係数ＤＣＸを生成し、
それ以外の場合には、前記ブロックＸの差分ＤＣ係数を隣接するブロックＡのＤＣ係数に加算することによって前記ブロックＸのＤＣ係数ＤＣＸを生成するステップ、
を含む、非一時的なコンピュータ可読記憶媒体。
【請求項４】
請求項３に記載の非一時的なコンピュータ可読記憶媒体において、
前記差分ＤＣ係数は、ＭＰＥＧ−４ビデオビットストリームから受信される、
非一時的なコンピュータ可読記憶媒体。
【請求項５】
請求項３に記載の非一時的なコンピュータ可読記憶媒体において、前記動作は、さらに
ＡＣ予測が用いられる場合、
前記第１勾配が前記第２勾配より小さい場合には、前記ブロックＸにおけるＡＣ係数の第１行を、前記隣接するブロックＣにおけるＡＣ係数の同じ第１行から予測してＡＣ係数の予測された第１行を生成し、
それ以外の場合には、前記ブロックＸにおけるＡＣ係数の第１列を、前記隣接するブロックＡにおけるＡＣ係数の同じ第１列から予測してＡＣ係数の予測された第１列を生成するステップと、
前記ブロックＸにおける差分ＡＣ係数の受信した第１行をＡＣ係数の予測された第１行のセットに加算するか、または、前記ブロックＸにおける差分ＡＣ係数の受信した第１列をＡＣ係数の予測された第１列のセットに加算することによって、ＡＣ係数を生成するステップと、
を含む、非一時的なコンピュータ可読記憶媒体。
【請求項６】
請求項３に記載の非一時的なコンピュータ可読記憶媒体において、
前記隣接するブロックＡ、Ｂ及びＣは、前記ブロックＸを含むビデオオブジェクトプレーンの境界内にある、
非一時的なコンピュータ可読記憶媒体。
【請求項７】
請求項３に記載の非一時的なコンピュータ可読記憶媒体において、
前記ＤＣ係数ＤＣＸの生成は、輝度データのブロックと、色データのブロックとについて独立して行われる、
非一時的なコンピュータ可読記憶媒体。
【請求項８】
請求項３に記載の非一時的なコンピュータ可読記憶媒体において、前記動作は、さらに、
前記ＤＣ係数ＤＣＸが前記隣接するブロックＡからのＤＣ係数ＤＣＡまたは前記隣接するブロックＣからのＤＣ係数ＤＣＣを用いて生成されるかに基づいて、前記ブロックＸの走査順序を選択するステップ、
を含む、非一時的なコンピュータ可読記憶媒体。
【請求項９】
ＭＰＥＧ−４ビデオ信号を復号する復号器であって、
プロセッサと、
前記プロセッサに実行されると、前記プロセッサに動作を行わせる複数の命令を保存するメモリと、を含み、
前記動作は、
予測を８画素×８画素のアレイを含むブロックＸに適用することを示すフラグを受信するステップと、
前記予測の方向を決定するステップであって、前記方向は、前記ブロックＸからのデータを用いない前記予測に用いる、ブロックＸに隣接するブロックを特定し、前記方向は、前記ブロックＸに対して垂直方向または水平方向であるステップと、
前記方向によって特定された隣接するブロックのＤＣ係数を用いて前記ブロックＸのＤＣ係数ＤＣＸを生成するステップと、
を含む、復号器。
【請求項１０】
請求項９に記載の復号器において、
前記方向を決定するステップは、
前記ブロックＸの水平方向左側の隣接するブロックＡについてのＤＣ係数ＤＣＡと、前記隣接するブロックＡの垂直方向上側の隣接するブロックＢについてのＤＣ係数ＤＣＢとの間の第１勾配を決定するステップと、
ＤＣＢと、前記ブロックＸの垂直方向上側の隣接するブロックＣについてのＤＣ係数ＤＣＣとの間の第２勾配を決定するステップと、を含み、
前記ＤＣ係数ＤＣＸを生成するステップは、
前記第１勾配が前記第２勾配より小さい場合には、前記ブロックＸの差分ＤＣ係数を隣接するブロックＣのＤＣ係数に加算することによって前記ブロックＸのＤＣ係数ＤＣＸを生成し、
それ以外の場合には、前記ブロックＸの差分ＤＣ係数を隣接するブロックＡのＤＣ係数に加算することによって前記ブロックＸのＤＣ係数ＤＣＸを生成するステップ、
を含む、復号器。
【請求項１１】
請求項１０に記載の復号器において、
前記差分ＤＣ係数は、ＭＰＥＧ−４ビデオビットストリームから受信される、
復号器。
【請求項１２】
請求項１０に記載の復号器において、前記動作は、さらに、
ＡＣ予測が用いられる場合、
前記第１勾配が前記第２勾配より小さい場合には、前記ブロックＸにおけるＡＣ係数の第１行を、前記隣接するブロックＣにおけるＡＣ係数の同じ第１行から予測してＡＣ係数の予測された第１行を生成し、
それ以外の場合には、前記ブロックＸにおけるＡＣ係数の第１列を、前記隣接するブロックＡにおけるＡＣ係数の同じ第１列から予測してＡＣ係数の予測された第１列を生成するステップと、
前記ブロックＸにおける差分ＡＣ係数の受信した第１行をＡＣ係数の予測された第１行のセットに加算するか、または、前記ブロックＸにおける差分ＡＣ係数の受信した第１列をＡＣ係数の予測された第１列のセットに加算することによって、ＡＣ係数を生成するステップと、
を含む、復号器。
【請求項１３】
請求項１０に記載の復号器において、
前記隣接するブロックＡ、Ｂ及びＣは、前記ブロックＸを含むビデオオブジェクトプレーンの境界内にある、
復号器。
【請求項１４】
請求項１０に記載の復号器において、
前記ＤＣ係数ＤＣＸの生成は、輝度データのブロックと、色データのブロックとについて独立して行われる、
復号器。
【請求項１５】
請求項１０に記載の復号器において、前記動作は、さらに、
前記ＤＣ係数ＤＣＸが前記隣接するブロックＡからのＤＣ係数ＤＣＡまたは前記隣接するブロックＣからのＤＣ係数ＤＣＣを用いて生成されるかに基づいて、前記ブロックＸの走査順序を選択するステップ、
を含む、復号器。
【請求項１６】
プロセッサを含む復号器によって実行されると、前記復号器にＭＰＥＧ−４ビデオ信号を復号する動作を行わせるプログラムであって、
前記動作は、
予測を８画素×８画素のアレイを含むブロックＸに適用することを示すフラグを受信するステップと、
前記予測の方向を決定するステップであって、前記方向は、前記ブロックＸからのデータを用いない前記予測に用いる、ブロックＸに隣接するブロックを特定し、前記方向は、前記ブロックＸに対して垂直方向または水平方向であるステップと、
前記方向によって特定された隣接するブロックのＤＣ係数を用いて前記ブロックＸのＤＣ係数ＤＣＸを生成するステップと、
を含む、プログラム。
【手続補正２】
【補正対象書類名】明細書
【補正対象項目名】発明の名称
【補正方法】変更
【補正の内容】
【発明の名称】ＭＰＥＧ−４ビデオ信号を復号する方法、非一時的なコンピュータ可読記憶媒体、復号器およびプログラム